(57)【要約】【課題】複数の記録媒体に対応して、最適収差が得られる、組み立て容易な光ピックアップ用の複合光学素子を提供する。【解決手段】複合光学素子の複数の樹脂対物レンズ１，２を一体成形することにより各対物レンズの相対位置を一定精度に保つことが出来る。また、材質の異なる対物レンズを一体化する場合は、少なくとも一方の樹脂対物レンズの材料で他の材料の対物レンズ用ホルダーを一体成形することで、組み立て調整なしで、各対物レンズの相対位置を一定精度に保つことが出来る。【選択図】図１
2008176854.tif 000002
【特許請求の範囲】
【請求項１】
第１の記録媒体に追従する第１の対物レンズと、
前記第１の対物レンズとは異なる光軸上に配置され、前記第１の記録媒体とは規格が異なる第２の記録媒体に追従する第２の対物レンズとを備え、
前記第１の対物レンズと前記第２の対物レンズとを一体に成形したことを特徴とする複合光学素子。
【請求項２】
第１の記録媒体に追従する第１の対物レンズと、
前記第１の対物レンズとは異なる光軸上に配置され、前記第１の記録媒体とは規格が異なる第２の記録媒体に追従する第２の対物レンズと、
前記第１の対物レンズを保持するホルダーとを備え、
前記第２の対物レンズと前記ホルダーとを一体に成形したことを特徴とする複合光学素子。
【請求項３】
前記第１の対物レンズは、ガラス材料からなるブルーレイ・ディスク用の対物レンズであることを特徴とする請求項２記載の複合光学素子。
【請求項４】
前記第１の対物レンズもしくは前記第２の対物レンズは、回折光学面を有し、少なくとも２種類の異なる規格の記録媒体に追従可能であることを特徴とする請求項１もしくは請求項２記載の複合光学素子。
【請求項５】
前記第１の対物レンズの光軸および前記第２の対物レンズの光軸は、互いに、記録媒体の中心軸から等距離の位置に配置していることを特徴とする請求項１もしくは請求項２記載の複合光学素子。
【請求項６】
前記第１の対物レンズの光軸方向の位置および前記第２の対物レンズの光軸方向の位置は、それぞれの対物レンズに対応する記録媒体の記録層に集光する位置に配置していることを特徴とする請求項１もしくは請求項２記載の複合光学素子。
【請求項７】
請求項１もしくは請求項２に記載の複合光学素子を搭載した光ピックアップ装置。
【発明の詳細な説明】
【技術分野】
【０００１】
本発明は、光ディスク装置などに用いられる複数の波長で使用する複合光学素子とそれを用いた光ピックアップ装置に関するものである。
【背景技術】
【０００２】
光ディスク装置などに用いられる複数の波長で使用する複合光学素子に関しては、１個の光学素子で複数の波長に対応する光学系および光ピックアップ装置として、例えば特許文献１に記載されているような、ガラス材料からなるレンズ体にプラスチック材料からなる回折光学面を形成する技術が開示されている。
【０００３】
また、複数の記録媒体毎に複数の対物レンズを並べて構成した光ピックアップ装置として、例えば特許文献２に記載されているような、第１の対物レンズと回折格子との組み合わせと、第２の対物レンズと回折格子との組み合わせとを、レンズホルダによって固定する技術が開示されている。
【０００４】
以下、複数の記録媒体毎に複数の対物レンズを並べて構成した光ピックアップ装置の従来例について説明する。
【０００５】
図６は従来の光ピックアップ装置の構成を示す断面図、図７は前記光ピックアップ装置の複合光学素子部分の拡大斜視図である。
【０００６】
図６に示す光ピックアップ装置は、３波長に対応する。対物レンズ５１は青（４０５ｎｍ近傍）の波長用で、青のレーザ光線は、立ち上げミラー５５を介して、波長補正用の回折素子５３を通り、対物レンズ５１により集光され、記録媒体６１の記録層に集光される。また、対物レンズ５２は２種類の赤（６３０ｎｍ近傍、７８０ｎｍ近傍）の波長用で、樹脂回折レンズである。赤のレーザ光線も、立ち上げミラー５５を介して、偏光素子５４を通り、対物レンズ５２により記録層の位置の異なる２種類の記録媒体６２，６３に集光される。各対物レンズ５１，５２や回折素子５３、偏光素子５４等の光学素子は、各々レーザ光波長毎に対物レンズ５１回折素子５３間の面間距離、および対物レンズ５２偏光素子５４間の面間距離を調整し、図７に示されるように、各鏡筒５６，５７に接着される。さらに、各々の対物レンズ５１，５２の光軸が記録媒体の中心から等距離の位置になるように合わせて、鏡筒５６，５７をボビン５８に接着する。ボビン５８全体は、各使用波長毎に、コイル５９に流される電流により制御され、フォーカスする機構になっている。
【特許文献１】特開２００６−１４７０７８号公報
【特許文献２】特開２００５−３２７３３８号公報
【発明の開示】
【発明が解決しようとする課題】
【０００７】
上記従来の光ピックアップ装置では、複数の光記録媒体に対して共用できるよう対応しているが、１個の光学素子で複数の波長に対応する場合、各々の記録媒体に最適な集光性能（収差）を持たせるためには、材料や形状等の精度要望が高くなり、それを満たすことが非常に困難であった。
【０００８】
また、複数の記録媒体毎に複数の対物レンズを並べて構成する場合、各対物レンズを光学機器に取り付ける精度が厳しく、各々の対物レンズを鏡筒に入れ、さらに焦点位置を調整するなど、組み立て調整にかなりの工程を要している。
【０００９】
また、対物レンズ毎の相対位置決めも必要で、さらに組み立て精度の高い位置決め方法が求められている。
【００１０】
本発明は、上述した問題を考慮し、複数の対物レンズの相対位置精度を良く制御して一体成形することにより、組み立て調整工程を簡略化し、安価で各記録媒体に最適な収差が得られる複合光学素子および光ピックアップ装置を提供することを目的とする。
【課題を解決するための手段】
【００１１】
上記従来の課題を解決するために、本発明の複合光学素子は、第１の記録媒体に追従する第１の対物レンズと、前記第１の対物レンズとは異なる光軸上に配置され、前記第１の記録媒体とは規格が異なる第２の記録媒体に追従する第２の対物レンズとを備え、前記第１の対物レンズと前記第２の対物レンズとを一体に成形したことを特徴とするものである。
【００１２】
また、本発明の複合光学素子は、第１の記録媒体に追従する第１の対物レンズと、前記第１の対物レンズとは異なる光軸上に配置され、前記第１の記録媒体とは規格が異なる第２の記録媒体に追従する第２の対物レンズと、前記第１の対物レンズを保持するホルダーとを備え、前記第２の対物レンズと前記ホルダーとを一体に成形したことを特徴とするものである。
【００１３】
また、前記第１の対物レンズは、ガラス材料からなるブルーレイ・ディスク用の対物レンズであることを特徴とするものである。
【００１４】
また、前記第１の対物レンズもしくは前記第２の対物レンズは、回折光学面を有し、少なくとも２種類の異なる規格の記録媒体に追従可能であることを特徴とするものである。
【００１５】
また、前記第１の対物レンズの光軸および前記第２の対物レンズの光軸は、互いに、記録媒体の中心軸から等距離の位置に配置していることを特徴とするものである。
【００１６】
また、前記第１の対物レンズの光軸方向の位置および前記第２の対物レンズの光軸方向の位置は、それぞれの対物レンズに対応する記録媒体の記録層に集光する位置に配置していることを特徴とするものである。
【００１７】
また、本発明の光ピックアップ装置は上記の複合光学素子を搭載したものである。
【発明の効果】
【００１８】
本発明の複合光学素子は、第１の対物レンズと第２の対物レンズとを一体に成形したことにより、第１の対物レンズと第２の対物レンズとの相対位置精度を高くできる。
【００１９】
また、本発明の複合光学素子は、第１の対物レンズを保持するホルダーと第２の対物レンズとを一体に成形したことにより、第１の対物レンズと第２の対物レンズとの相対位置精度を高くできる。
【００２０】
また、第１の対物レンズがガラス材料からなるブルーレイ・ディスク用の対物レンズであることにより、ブルーレイ・ディスクを含む記録媒体に使用できる。
【００２１】
また、第１もしくは第２の対物レンズが回折光学面を有することにより、２個の対物レンズで、少なくとも３種類の異なる規格の記録媒体に追従可能となる。
【００２２】
また、第１の対物レンズの光軸および第２の対物レンズの光軸が記録媒体の中心軸から等距離の位置に配置していることにより、トラッキングの制御が容易になる。
【００２３】
また、第１の対物レンズの光軸方向の位置および第２の対物レンズの光軸方向の位置がそれぞれの対物レンズに対応する記録媒体の記録層に集光する位置に配置していることにより、フォーカス位置の制御が容易になる。
【００２４】
また、本発明の光ピックアップ装置は、複合光学素子を搭載したものであるため、組み立て工程が簡略化される。
【発明を実施するための最良の形態】
【００２５】
以下、本発明の実施の形態について、図面を参照しながら説明する。
【００２６】
（実施の形態１）
本発明の実施の形態１に係る複合光学素子について説明する。図１は本実施の形態における複合光学素子を示す斜視図である。
【００２７】
図１において、対物レンズ１は、ブルーレイディスク（ＢＤ）に追従する、青（４０５ｎｍ近傍）の波長用の樹脂レンズであり、対物レンズ２は、ＤＶＣとＣＤとに追従する２種類の赤（６３０ｎｍ近傍、７８０ｎｍ近傍）の波長用の樹脂回折レンズである。本実施の形態における複合光学素子は、これらの対物レンズ１と対物レンズ２とを異なる光軸上に配置して一体成形したものである。
【００２８】
対物レンズ１，２間の水平方向の位置は、図２に示すように、それらの光軸が記録媒体の中心軸から等距離となる円周上の位置に位置合わせして一体成形している。そのため、対物レンズ１，２間の水平方向の位置調整が不要になる。またこのように、対物レンズ１，２の光軸の配置を、記録媒体の中心軸から等距離の円周上に配置していることで、トラッキング位置の制御が容易にできる。
【００２９】
また、対物レンズ１，２が形成されている面は、各記録媒体の厚みおよび記録層の深さに応じて段差が設けられているため、複合光学素子の位置調整を行うだけで、個々の対物レンズの光軸方向の位置調整が不要になる。
【００３０】
（実施の形態２）
実施の形態１の場合は、対物レンズ１，２の材質が同じであるが、本実施の形態の場合は、２つの対物レンズの材質が異なる。このような場合では、少なくとも一方の対物レンズの樹脂材料で他の材料の対物レンズ用ホルダーを一体成形することで、各対物レンズの相対位置を一定精度に保つことが出来る。本実施の形態に係る複合光学素子を図３に示す。
【００３１】
図３において、対物レンズ２はＤＶＤ・ＣＤ対応の赤の波長用の樹脂レンズであり、対物レンズ３はブルーレイ・ディスク（ＢＤ）対応の青の波長用のガラスレンズである。対物レンズ３は、対物レンズ２と一体に成形されたホルダーに保持されている。
【００３２】
このように、対物レンズの材質が異なる場合には、少なくとも一方の対物レンズの樹脂材料で他の材料の対物レンズ用ホルダーを一体成形することで、各対物レンズの相対位置を一定精度に保つことが出来る。
【００３３】
（実施の形態３）
本発明の実施の形態３に係る複合光学素子を図４に示す。
【００３４】
図４において、対物レンズ３はＢＤ対応のガラスレンズであり、対物レンズ４はＤＶＤ対応の樹脂レンズであり、対物レンズ５はＣＤ対応の樹脂レンズである。対物レンズ３は、対物レンズ４，５と一体に成形されたホルダーに保持されている。
【００３５】
このように、対物レンズ４，５と他の材料の対物レンズ用ホルダーとを一体成形することで、各対物レンズの相対位置を一定精度に保つことが出来る。
【００３６】
図５に、対物レンズ３，４，５と、それぞれの対物レンズに対応する記録媒体６，７，８との位置関係を示す。ＢＤ用、ＤＶＤ用、ＣＤ用の各記録媒体６、７、８はレーベル面を基準とした記録層の位置はそれぞれ異なっている。そこで、各対物レンズの光軸方向の位置は、それぞれ対応する記録媒体の記録層の位置に集光するように調整されて成形されている。この調整は、図４に示すように、各対物レンズもしくはホルダーを形成する面に段差を設けることで実現している。
【００３７】
もし、例えば上記のような段差を設けず、各対物レンズもしくはホルダーを形成する面を同一面に揃えた場合は、各対物レンズがそれぞれの対応する記録媒体の記録層の位置に集光しないため、フォーカス制御するための偏移量が大きくなり、フォーカス制御機構が大きくなり、制御のためのエネルギーが大きくなってしまうが、本実施の形態では、各対物レンズの光軸方向の位置が調整されているため、フォーカス制御の制御範囲を狭くすることができ、消費電力も少なくすることができる。
【産業上の利用可能性】
【００３８】
本発明の複合光学素子は複数の記録媒体に対応する光ディスク装置などに用いられ、光ピックアップとして組み立て容易な光学素子として供給できる。また、それを用いた安価な光ピックアップ装置を供給できる。
【図面の簡単な説明】
【００３９】
【図１】本発明の実施の形態１に係る複合光学素子を示す斜視図
【図２】本発明の実施の形態１に係る複合光学素子の対物レンズの配置を示す平面図
【図３】本発明の実施の形態２に係る複合光学素子を示す斜視図
【図４】本発明の実施の形態３に係る複合光学素子を示す斜視図
【図５】本発明の実施の形態３に係る複合光学素子の対物レンズの配置を示す断面図
【図６】従来の光ピックアップ装置を表す断面図
【図７】従来の複合光学素子の詳細部を表す斜視図
【符号の説明】
【００４０】
１〜５  対物レンズ
６〜８  記録媒体
５１，５２  対物レンズ
５３  回折素子
５４  偏光素子
５５  立ち上げミラー
５６，５７  鏡筒
５８  ボビン
５９  コイル
６１〜６３  記録媒体
【図１】
2008176854.tif 000003
【図２】
2008176854.tif 000004
【図３】
2008176854.tif 000005
【図４】
2008176854.tif 000006
【図５】
2008176854.tif 000007
【図６】
2008176854.tif 000008
【図７】
2008176854.tif 000009